(57)【要約】 【課題】  雨風等の気候から幼児を保護でき、かつ使用者の便宜を図った抱っこ具を提供する。【解決手段】  使用者１０１に装着されるベルト部２と、ベルト部２と連結されて幼児１００を支持するサポート部３とを備える抱っこ具１において、サポート部３の外面３ａには袋状の収容部１２を設ける。その収容部１２にはサポート部３に支持された幼児１００を覆うように展開可能なフード２２を収容する。【選択図】      図１２
2006061382.tif 000002
【特許請求の範囲】
【請求項１】
使用者に装着されるベルト部と、前記ベルト部と連結されて幼児を支持するサポート部とを備え、前記サポート部の外面には袋状の収容部が設けられ、該収容部には前記サポート部に支持された幼児を覆うように展開可能なフードが収容されていることを特徴とするフード付き抱っこ具。
【請求項２】
前記フードは、幼児の頭部側を覆う頭部保護部と、幼児の臀部側を覆う臀部保護部を備え、前記頭部保護部と前記臀部保護部とに挟まれた中間部において前記サポート部と連結されていることを特徴とする請求項１に記載のフード付き抱っこ具。
【請求項３】
前記フードの両側部と、前記ベルト部とを連結する連結手段を備えていることを特徴とする請求項１又は２に記載のフード付き抱っこ具。
【請求項４】
前記収容部の内部が二以上の収容室に仕切られ、いずれか一つの収容室に前記フードが収容されていることを特徴とする請求項１〜３のいずれか一項に記載のフード付き抱っこ具。
【発明の詳細な説明】
【技術分野】
【０００１】
本発明は、幼児を覆うフードを備えた抱っこ具に関する。
【背景技術】
【０００２】
使用者が幼児を抱いて移動する際に、幼児を容易に保持するために使用される抱っこ具が知られている。
【発明の開示】
【発明が解決しようとする課題】
【０００３】
しかしながら、従来の抱っこ具では、移動面での利便性は高いが、幼児の身体を十分に包み込むことができないため、雨風等から幼児の身体を保護すること、及び幼児の体温を調節することが難しい。抱っこ具の上から幼児の身体を覆うことのできる防寒具や雨具等が市販されている。しかし、それらの用具を抱っこ具とは別に携行することは使用者にとって不便である。
【０００４】
そこで、本発明は、雨風等の気候から幼児を保護でき、かつ使用者の便宜を図った抱っこ具を提供することを目的とする。なお、本明細書において幼児の語は乳児を含む概念で使用されるものである。
【課題を解決するための手段】
【０００５】
本発明は、使用者（１０１）に装着されるベルト部（２）と、前記ベルト部と連結されて幼児（１００）を支持するサポート部（３）とを備え、前記サポート部の外面には袋状の収容部（１２）が設けられ、該収容部には前記サポート部に支持された幼児を覆うように展開可能なフード（２２）が収容されたフード付き抱っこ具により、上述した課題を解決する。
【０００６】
本発明の抱っこ具によれば、収容部からフードを引き出してこれを展開し、そのフードにてサポート部に支持された幼児をフードで覆うことにより、雨風等の気候から幼児を保護することができる。気候に合わせてフードの使用、不使用を使い分けることにより幼児の体温を調節することができる。フードの不使用時にはフードを収容部に収容しておくことができるので抱っこ具の使用に際してフードが邪魔にならず、携行時にも便利である。
【０００７】
本発明の一態様において、前記フードは、幼児の頭部側を覆う頭部保護部（２３）と、幼児の臀部側を覆う臀部保護部（２５）を備え、前記頭部保護部と前記臀部保護部とに挟まれた中間部（２４）において前記サポート部と連結されてもよい。この態様によれば、フードの中間部をサポート部にて確実に拘束しつつ、その拘束位置を基点としてフードを上下に展開して幼児の頭部及び臀部をフードで覆うことができる。フードの収容時にはその頭部保護部及び臀部保護部を中間部に向って折り畳めばよい。これにより、フードの展開や収容を容易に行える。
【０００８】
本発明の一態様において、抱っこ具は、前記フードの両側部と前記ベルト部とを連結する連結手段（２６、２７、２８）を備えていてもよい。この態様によれば、フードとベルト部を連結手段によって連結することにより、フードの両側のめくれを防止して幼児の身体を確実にフードで覆うことができる。
【０００９】
本発明の一態様において、前記収容部の内部が二以上の収容室（１９、２０）に仕切られ、いずれか一つの収容室に前記フードが収容されてもよい。この態様によれば、フードを収容する収容室と、フード以外の物品類を収容する収容室とを区別することができるので、使用者にとって使い勝手が高まる。
【００１０】
なお、以上の説明では本発明の理解を容易にするために添付図面の参照符号を括弧書きにて付記したが、それにより本発明が図示の形態に限定されるものではない。
【発明の効果】
【００１１】
以上に説明したように、本発明の抱っこ具によれば、収容部から引き出して展開したフードにて幼児を覆うことができ、不使用時にはフードを収容部へ収容しておくことができるので、雨風等の気候から幼児を保護でき、かつフードの不使用時や抱っこ具の携行時における使用者の便宜を図ることができる。
【発明を実施するための最良の形態】
【００１２】
図１は本発明の一形態に係る抱っこ具を示している。抱っこ具１は、ベルト部２と、そのベルト部２と連結され、幼児を支持する袋状又は帯状部分を形成するためのサポート部３とを備えている。図２は展開された抱っこ具１をサポート部３の外面３ａ側から見た様子を示し、図３は図２と同一状態の抱っこ具１をサポート部３の内面３ｂ側から見た様子を示している。以下では、図３の状態を基準として抱っこ具１の上下及び左右を定める。
【００１３】
図１〜図３に示すように、サポート部３は上部シート３Ａと下部シート３Ｂとを縫製ラインＰ１（図３）に沿って縫い合わせて概略構成され、全体として幼児を支持するに適した大きさの一枚のシート状形態を有している。ベルト部２は、そのサポート部３を使用者に装着するためのものであり、サポート部３の上端部３ｃと連結される肩ベルト部４と、サポート部３の下端部３ｄと連結される腰ベルト部５とを備えている。肩ベルト部４は使用者（一例として親）の肩回りに装着され、腰ベルト部５は使用者の腰回りに装着される。肩ベルト部４はその両端がサポート部３の上端部３ｃの左右端にそれぞれ縫い合わされて閉じたループを形成する。肩ベルト部４は長さ調整可能であるが、その詳細は後述する。一方、腰ベルト部５はサポート部３の下端部３ｄの左右端にそれぞれ縫い付けられた一対の連結ベルト６、７と、それらのベルト６、７に取り付けられたオスバックル８及びメスバックル９とを備えている。バックル８、９の取付位置はベルト６、７の長手方向に調整可能である。
【００１４】
図４は抱っこ具１により幼児１００を使用者１０１と向かい合うようにして支持する状態を示している。このような支持を実現するためには、例えば次の手順で抱っこ具１を使用者１０１に装着する。まず、サポート部３を上下に反転させ、その外面３ａを使用者１０１と対向させた状態で腰ベルト部５の連結ベルト６、７を使用者１０１の腰回りに渡してバックル８、９を噛み合わせ、サポート部３を使用者１０１の前面側に位置決めする。この後、幼児１００を使用者１０１と向き合うように抱っこし、サポート部３を幼児１００の臀部の下方から背側に回して上方に折り返す。そして、肩ベルト部４を使用者１０１の肩回りに袈裟懸け状態で掛ける。これにより、サポート部３が使用者１０１の前面にて袋状又は帯状部分を形成し、幼児１００をサポート部３の内面３ｂ側に収容して支持することができる。なお、サポート部３に設けられた補助ベルト５０（図２及び図３参照）を幼児１００の胴部に回してバックル５１、５２を噛み合わせることにより、幼児１００をサポート部３に対して安定的に拘束することができる。
【００１５】
図１〜図４に示したように、サポート部３の上端部３ｃには袋部１０が設けられている。図５から明らかなように、袋部１０は、サポート部３を収容するための第１収容袋１１と、本発明に係るフードを収容するための第２収容袋（収容部）１２とを備えている。これらの収容袋１１、１２はそれぞれ袋本体１３、１４を有している。それらの袋本体１３、１４は、サポート部３の上部シート３Ａの中間部と縫製ラインＰ２にて縫い合わされるとともに、上部シート３Ａの前後（図５において左右）の端部とファスナー１５、１６を介して連結されている。これにより、収容袋１１、１２はそれぞれ上部シート３Ａを蓋材として利用した開閉可能な袋として構成される。
【００１６】
サポート部３の下部シート３Ｂは第１収容袋１１の開口部から内部に挿入されて縫製ラインＰ１（図３参照）にて上部シート３Ａと縫い合わされている。従って、図６に示すように、ファスナー１５を開いて下部シート３Ｂを第１収容袋１１の内部に折り畳んで収容することができる。これにより、図７に示すように抱っこ具１を肩掛け式のバッグのごとく構成して携行時等の便宜を図ることができる。
【００１７】
図５及び図６に示すように、前側（図５及び図６において右側）の第２収容袋１２の袋本体１４には、ファスナー１６よりも前方に偏るようにして仕切シート１８が設けられ、それにより第２収容袋１２の内部は第１収容室１９と第２収容室２０とに仕切られている。また、袋本体１４には第２収容室２０に対する開口部が設けられ、その開口部にはファスナー２１が設けられている。第１収容室１９は小物入れ等として利用される。一方、第２収容室２０には本発明に係るフード２２が折り畳まれた状態で収容されている。
【００１８】
フード２２は縫製ラインＰ３（図９参照）に沿って仕切シート１８に縫い合わされている。図８に示したように、ファスナー１６を開くことにより、フード２２は第２収容室２０から引き出して抱っこ具１の前面側に展開することができる。図９はそのフード２２を展開した状態を抱っこ具１の前面側から見た様子を示し、図１０は同一状態の抱っこ具１を反対側から見た様子を示している。
【００１９】
図９に示すように、フード２２は、幼児の頭部を覆う頭部保護部２３と、幼児の背側を覆う背面保護部（中間部）２４と、幼児の臀部を覆う臀部保護部２５と、側方に略三角形状に突出する連結部２６とを備えている。フード２２と第２収容袋１２の仕切シート１８とを連結する縫製ラインＰ３は背面保護部２４上に設定されている。頭部保護部２３には、幼児１００の頭部に被せるための袋部２３ａが設けられている（図１０参照）。フード２２の下端部２２ａにはゴムバンド（不図示）が内蔵され、そのゴムバンドの弾性復元力により当該下端部２２ａには左右方向の中心側に向って適度な引張力が作用している。
【００２０】
図１１にも示したように、連結部２６には互いに契合可能な一対のホック２７、２８が設けられている。連結部２６を肩ベルト部４に巻き付けてホック２７、２８を噛み合わせることにより、フード２２の両側を肩ベルト部４に連結してフード２２のまくれを防止することができる。これにより、連結部２６とホック２７、２８とは本発明の連結手段を構成する。
【００２１】
図１２は、フード２２を第２収容袋１２から引き出して展開し、幼児１００を覆った様子を示す。なお、フード２２の両側は連結部２６及びそのホック２７、２８を利用して肩ベルト部４に連結されている。また、フード２２の下端部２２ａは上述したゴムバンドによる引張力を利用して幼児１００の臀部に引っ掛けられている。このように、本形態の抱っこ具１によれば、そのサポート部３に支持された幼児１００の頭部から臀部に掛けての部分をフード２２で覆って幼児１００を雨・風等の気候から保護することができる。従って、気候に応じて適宜にフード２２を使用することにより、幼児の体温調整を容易に行うことができる。フード２２を使用しないときは第２収容袋１２の第２収容室２０にフード２２を収容することができるのでフード２２が邪魔にならず、携行にも便利である。
【００２２】
次に、肩ベルト部４の詳細を説明する。図１に示すように、肩ベルト部４は、肩掛けベルト３１と、その肩掛けベルト３１をサポート部３と連結するための左右の連結ベルト３２、３３とを組み合わせて構成されている。左側（図１及び図２において右側）の連結ベルト３２の他端部はラダー３４を介して肩掛けベルト３１の一端部３１ａと連結される。ラダー３４は肩掛けベルト３１の一端部３１ａに固定されており、連結ベルト３２の他端側はそのラダー３４に対して長さ調整可能に連結されている。すなわち、ラダー３４に対する連結ベルト３１の連結位置は連結ベルト３１の長手方向に調整可能であり、その連結位置を変化させることにより、サポート部３に対する固定位置からラダー３４までの連結ベルト３１の長さを調整することができる。なお、抱っこ具１の使用時において、ラダー３４は肩掛けベルト３１の外側に装着された筒状の肩ベルトパッド３５の内部に隠すことができる。
【００２３】
図１３に詳しく示したように、右側（図１及び図２において左側）の連結ベルト３３は反対側の連結ベルト３２よりも短く、その先端にはＤリング３６が取り付けられている。一方、肩掛けベルト３１の他端部３１ｂにはオスバックル３７が取り付けられ、そのオスバックル３７よりも肩掛けベルト３１の長手方向中心側にはオスバックル３７と噛み合うメスバックル３８が連結ベルト３９を介して取り付けられている。肩掛けベルト３１に対するオスバックル３７の取付位置は肩掛けベルト３１の長さ方向に調整可能である。
【００２４】
図１４に詳しく示したように、Ｄリング３６は、Ｄ字型のリング形状を有するリング本体４０と、そのリング本体４０の内周に軸４１ａを支点として回転可能に取り付けられた抜け止め部材としてのフラップ４１とを備えている。フラップ４１はリング本体４０とともに連結ベルト３３の先端のループ部３３ａに取り付けられ、その先端のタング４１ｂはリング本体４０の先端のブリッジ４０ａの内周に設けられたストッパとしての突起部４０ｂと噛み合う位置まで延びている。従って、これらのタング４１ｂと突起部４０ｂとの噛み合いにより、軸４１ａを中心としたフラップ４１の回転範囲が制限される。すなわち、タング４１ｂはリング本体４０の一方の側のみで回転可能であり、ブリッジ４０ａをくぐり抜けてリング本体４０の反対側に移動することはできない。
【００２５】
図１３に戻って、肩掛けベルト３１は、その他端部３１ｂに取り付けられたオスバックル３７が図１３の裏面側、つまりフラップ４１のタング４１ｂが設けられている側に対する反対側からリング本体４０をくぐり抜けるようにしてＤリング３６に通される。そして、オスバックル３７をメスバックル３８と噛み合わせることにより、Ｄリング３６を介して肩掛けベルト３１と連結ベルト３３とが互いに連結される。このような連結構造によれば、オスバックル３７がメスバックル３８から外れても、オスバックル３７がタング４１ｂに引っ掛かってＤリング３６のリング本体４０を通り抜けることができない。従って、肩掛けベルト３１をＤリング３６から完全に抜き取るには、使用者１０１がフラップ４１のタング４１ｂをリング本体４０から離れる方向に操作してタング４１ｂとリング本体４０との間に隙間を生じさせ、その隙間を通り抜けるようにオスバックル３７を導く必要がある。従って、使用者１０１が意図的にこのような操作をしない限り、肩掛けベルト３１と連結ベルト３３とが完全に分離するおそれがなく、それにより肩ベルト部４の安全性が高まる。なお、連結ベルト３３及びＤリング３６はサポート部３に縫い付けられた筒状のカバー４２により覆い隠すことができる。
【００２６】
本発明は以上の形態に限定されることなく、種々の形態にて実施してよい。例えば、上記の形態ではフード２２を仕切シート１８に縫い付けて固定したが、他の手段によってフード２２を収容袋１２に固定してもよい。収容袋１２に対してフード２２を着脱可能としてもよい。フード２２の材質は適宜に定めてよい。例えば、各種の布地、樹脂シートをフード２２に利用してよい。フード２２の表面には撥水処理をしてもよい。フード２２の形状や大きさは本形態に限るものではなく、フードの目的に応じて適宜の形状や大きさを選択してよい。
【００２７】
ベルト部の構成は上記の形態に限るものではなく、例えば２本の肩掛けベルトを利用してサポート部を使用者に装着するタイプの抱っこ具にも本発明は適用できる。サポート部の構成も上記の形態に限らない。例えばベルト部とサポート部とを縫い付けた構成に限らず、サポート部の全部又は一部をベルト部に対して着脱可能なアタッチメントとして構成した抱っこ具に対しても本発明は適用可能である。いずれにせよ、サポート部はベルト部と連結されて幼児を支持する機能を有する限りにおいて種々の形態のものが選択できる。フードを収容する収容部は上記の形態の構成に限らず、サポート部の外面（幼児に触れる面と反対側の面）の適宜の位置に設けてよい。連結手段はフードの側部とホックとを利用するものに限らず、ベルト、面ファスナー、バックルその他の各種の連結手段を利用してよい。
【図面の簡単な説明】
【００２８】
【図１】本発明の一形態に係る抱っこ具の斜視図。
【図２】展開された抱っこ具をサポート部の外面側から見た様子を示す図。
【図３】展開された抱っこ具をサポート部の内面側から見た様子を示す図。
【図４】抱っこ具の使用状態を示す斜視図。
【図５】サポート部の上端部に設けられた袋部の断面図。
【図６】第１収容袋にサポート部の下部シートを収容した状態を示す断面図。
【図７】図６の状態に対応する抱っこ具の斜視図。
【図８】第２収容袋からフードを展開した状態を示す断面図。
【図９】フードを展開した抱っこ具をサポート部の外面側から見た様子を示す図。
【図１０】フードを展開した抱っこ具をサポート部の内面側から見た様子を示す図。
【図１１】フードの一側の連結部と肩ベルト部とを拡大して示す図。
【図１２】フードにて幼児を覆った様子を示す斜視図。
【図１３】肩ベルト部とサポート部との連結部分の拡大図。
【図１４】肩ベルト部とサポート部とを連結するＤリング及びその近傍の拡大図。
【符号の説明】
【００２９】
１  抱っこ具
２  ベルト部
３  サポート部
３ａ  サポート部の外面
３ｂ  サポート部の内面
４  肩ベルト部
５  腰ベルト部
１０  袋部
１１  第１収容袋
１２  第２収容袋（収容部）
１８  仕切シート
１９  第１収容室
２０  第２収容室
２２  フード
２３  頭部保護部
２４  背面保護部（中間部）
２５  臀部保護部
２６  連結部（連結手段）
２７、２８  ホック（連結手段）
１００  幼児
１０１  使用者
【図１】
2006061382.tif 000003
【図２】
2006061382.tif 000004
【図３】
2006061382.tif 000005
【図４】
2006061382.tif 000006
【図５】
2006061382.tif 000007
【図６】
2006061382.tif 000008
【図７】
2006061382.tif 000009
【図８】
2006061382.tif 000010
【図９】
2006061382.tif 000011
【図１０】
2006061382.tif 000012
【図１１】
2006061382.tif 000013
【図１２】
2006061382.tif 000014
【図１３】
2006061382.tif 000015
【図１４】
2006061382.tif 000016